(57)【要約】【課題】  外部ディジタルオーディオ入力時にサブＱデータが正常に入力されない場合、音切れが発生する可能性がある。【解決手段】  サブＱデータ処理部１０６は、サブＱデータテーブル１０５がアンダーフローした場合には、サブＱデータの読み出しとその出力処理を行わず、音声データのみを出力する。また、入力処理部１０４は音声データとサブＱデータとのバッファ管理上の整合性をとるため、それぞれの入力データ量を管理するためのカウンタを備え、可能な限りサブＱデータテーブル１０５がオーバーフロー、アンダーフローしないよう当該入力処理部１０４にて管理すること、またスイッチ１０９にて音響処理時とダビング時とでＩＥＣ出力モードを切り替えることで、音切れ、接続先の機器での誤記録等を防ぐ。【選択図】  図１
2007073170.tif 000002
【特許請求の範囲】
【請求項１】
ディジタル入力からのデータを音響処理し、同時にディジタル入力されるユーザデータ中のサブＱデータを抽出し、かつ音声データと同期してサブＱデータを出力する機能を有する音声再生装置であって、
再生部と、当該再生部を制御する制御部とを備え、
前記再生部は、
入力データから音声データとサブＱデータとを抽出するデータ受信部と、
抽出されたサブＱデータを格納するサブＱデータテーブルと、
抽出された音声データを格納する音声データ格納バッファと、
前記サブＱデータテーブル及び前記音声データ格納バッファへのデータ格納を管理する入力処理部と、
前記音声データ格納バッファに格納された音声データに対して音響処理を施す音響処理部と、
前記サブＱデータテーブルに格納されたサブＱデータを音声データと同期して出力する処理を行うサブＱデータ処理部とを有し、
前記サブＱデータテーブルがアンダーフローした場合には、音声データのみを出力するモードに自動で切り替わる機能を備えたことを特徴とする音声再生装置。
【請求項２】
請求項１記載の音声再生装置において、
前記入力処理部にて音声データ入力サイズカウンタとサブＱデータ入力数カウンタとを用いてサブＱデータ入力が音声データ入力より少ないと判断した場合に、前記サブＱデータテーブルにダミーのサブＱデータを格納する機能を備えたことを特徴とする音声再生装置。
【請求項３】
請求項１記載の音声再生装置において、
前記入力処理部にて音声データ入力サイズカウンタとサブＱデータ入力数カウンタとを用いてサブＱデータ入力が音声データ入力より多いと判断した場合に、前記サブＱデータテーブルにサブＱデータを格納せず、廃棄処理する機能を備えたことを特徴とする音声再生装置。
【請求項４】
請求項１記載の音声再生装置において、
前記入力処理部にて音声データ入力サイズカウンタとサブＱデータ入力数カウンタとを用いてダミーサブＱデータ格納又は廃棄処理する際の前記音声データ入力サイズカウンタと前記サブＱデータ入力数カウンタとの差分の閾値を外部から指定できるインターフェースを備えたことを特徴とする音声再生装置。
【請求項５】
請求項１記載の音声再生装置において、
前記入力処理部にてダミーサブＱデータを格納する際にサブＱデータ中の未使用領域にダミーであることが判別可能なフラグを挿入する機能を備えたことを特徴とする音声再生装置。
【請求項６】
請求項１記載の音声再生装置において、
前記サブＱデータテーブルにサブＱデータを格納する際に、対応する音声データを格納する前記音声データ格納バッファのアドレスもあわせて前記サブＱデータテーブルに格納する機能を備えたことを特徴とする音声再生装置。
【請求項７】
請求項１記載の音声再生装置において、
前記データ受信部で抽出した音声データに対して音響処理し、抽出したサブＱデータと同期をとってディジタル出力するモードと、ディジタル入力データをスルーでディジタル出力するモードとを実現するための切り替えスイッチを更に備えたことを特徴とする音声再生装置。
【請求項８】
請求項１記載の音声再生装置において、
前記データ受信部で抽出した音声データに対して音響処理し、抽出したサブＱデータと同期をとってディジタル出力するモードと、ディジタル入力データをスルーでディジタル出力するモードとを外部から切り替えることが可能なインターフェースを更に備えたことを特徴とする音声再生装置。
【発明の詳細な説明】
【技術分野】
【０００１】
本発明は、広くはディジタル信号処理技術に関し、特にディジタルオーディオの外部入力を受信可能な機器での音声データとサブＱデータとの管理方法及び出力処理に関するものである。
【背景技術】
【０００２】
音楽ＣＤでは、サブコーディングされたＱチャンネルに音声データとは別のサブＱデータが記録されている。このサブＱデータは、再生時間表示やダビング時の曲間認識に用いられる。従来、音楽ＣＤ再生時に音声データとサブＱデータとを同期させて出力するシステムが知られている（特許文献１参照）。
【０００３】
近年、光ディスク再生のみでなく外部ディジタルオーディオ入力に対応した機器が普及している。外部から入力されるディジタルオーディオはＩＥＣ６０９５８又はＩＥＣ６０９３７で規定されるフォーマットで入力される。入力されたデータに対してなんらかの音響処理を施す場合、ＩＥＣフォーマットから音声データを抽出する必要がある。また、ＩＥＣフォーマットでは音声データと別にチャンネルステータス、ユーザデータ等の補助情報が付加されているが、これからの情報を再生に使用する場合、音声データとあわせて補助情報も抽出する必要がある。抽出したデータはそれぞれ別のバッファで管理することになるが、これらのデータを内部で処理した後、再びＩＥＣフォーマットで出力する場合、抽出、分離したデータをＩＥＣエンコードする必要がある。
【０００４】
外部ディジタルオーディオ入力時にユーザデータ中のサブＱデータに対応する場合、接続されている機器での再生状態が受け側では分からないため、常にサブＱ入力モードで動作する必要がある。しかし、接続されている機器で再生しているメディアが音楽ＣＤ以外の場合はユーザデータ中にサブＱデータが重畳されていない。音楽ＣＤを再生するときは必ずサブＱデータが存在するため問題ないが、外部からの入力を受ける場合にはサブＱデータが入力されないケースでも音声データの音切れ等の問題が発生しないよう考慮する必要がある。また、一旦音声データと補助情報を分離すると内部でずれが発生してしまい、正確に両者の同期をとって再びＩＥＣフォーマットで出力することが困難であるため、再生装置の出力を更に外部機器に接続してダビング用途で使用する場合、外部機器側でトラック管理を誤る可能性がある。
【特許文献１】特開２００１−１５５４３２号公報
【発明の開示】
【発明が解決しようとする課題】
【０００５】
上記のような従来のシステムで外部ディジタルオーディオ入力時にユーザデータ中のサブＱデータ対応を行う際には、音切れが発生する可能性があった。また音響処理を行うために一旦音声データとサブＱデータを分離するため、出力段で再びＩＥＣエンコードしてもずれが生じる。このため音楽ＣＤのダビング用途で使用する場合、受け側の機器において曲間の認識点がずれる問題があった。
【０００６】
本発明は、このような問題を解決し、またＩＥＣ出力モードの指定が可能なインターフェースを備えることにより、汎用性のある音声再生装置を提供することにある。
【課題を解決するための手段】
【０００７】
上記目的を達成するため、本発明の音声再生装置は、サブＱデータのアンダーフローを検出する機能を備え、入力処理部は音声データとサブＱデータとのバッファ管理上の整合性をとるため、それぞれの入力データ量を管理するためのカウンタを備える。また、音響処理モードとスルーモードとを再生部の外部から選択可能にしたものである。
【発明の効果】
【０００８】
本発明の音声再生装置によれば、サブＱデータテーブルがオーバーフロー、アンダーフローしないよう管理すること、また音響処理時とダビング時とでＩＥＣ出力モードを切り替えることで、音切れ、接続先の機器での誤記録等を防ぐことが可能となる。また、ＩＥＣ出力の出力方法を外部から選択可能にすることにより、汎用性のあるシステムを提供することが可能になる。
【発明を実施するための最良の形態】
【０００９】
以下、図面を参照しながら、本発明の実施の形態を説明する。
【００１０】
図１は、本発明に係る音声再生装置の構成例を示している。図１の音声再生装置は、大きく制御部１０１と、再生部１０２とで構成される。再生部１０２は、データ受信部１０３と、入力処理部１０４と、サブＱデータテーブル１０５と、サブＱデータ処理部１０６と、音声データ格納バッファ１０７と、音響処理部１０８と、スイッチ１０９とで構成される。Ａはディジタルオーディオ入力データ、Ｂ、Ｃ、Ｄ、Ｅ、ＦはサブＱデータ、Ｇ、Ｈ、Ｉは音声データ、Ｊはディジタルオーディオ出力データ、Ｋはアナログオーディオ出力データ、Ｌは閾値制御信号、Ｍは音響処理済のディジタルオーディオ出力用データ、Ｎはディジタルオーディオ出力切り替え制御信号である。
【００１１】
データ受信部１０３は、ディジタルオーディオ入力データＡから音声データＧとサブＱデータＢとを抽出する。入力処理部１０４は、サブＱデータテーブル１０５及び音声データ格納バッファ１０７へのデータ格納を管理する。音響処理部１０８は、音声データ格納バッファ１０７に格納された音声データに対して音響処理を施す。サブＱデータ処理部１０６は、サブＱデータテーブル１０５に格納されたサブＱデータを音声データと同期して出力する処理を行う。
【００１２】
スイッチ１０９は、ディジタルオーディオ出力データＪを、音響処理後のデータＭか、入力されたデータＡのスルーかを選択する。これにより、ダビング時等、ディジタルオーディオ出力に関して入力されたデータをスルーで出力する必要がある場合の対処が可能となる。しかも、制御部１０１からの制御信号Ｎによりスイッチ１０９を切り替え可能とすることで、スピーカ出力となるアナログオーディオ出力データＫは音響処理部１０８にて音響処理を行ったデータを出力し、ディジタルオーディオ出力データＪは入力されたデータＡをスルーで出力するといった使用が可能となる。
【００１３】
図２は、図１中のサブＱデータ処理部１０６の処理フローである。サブＱデータ処理部１０６は、サブＱデータテーブル１０５のアンダーフローを検出した場合にはサブＱデータ読み出しを行わない。これにより、サブＱデータが入力されない場合でも、音声データ出力に音切れ等の影響を与えず正常な再生が可能となる。
【００１４】
図３は、図１中の入力処理部１０４によるサブＱデータテーブル１０５のアンダーフロー抑制の処理フローである。入力処理部１０４では音声データをバッファ１０７に格納した後、音声データ入力サイズカウンタを更新する。その後、入力されたサブＱデータをサブＱデータテーブル１０５に格納する。音声データ入力サイズカウンタ、サブＱデータ入力数カウンタは、音声データとサブＱデータとの入力数にずれがないかを管理するためのカウンタである。これら２つのカウンタの差分を確認し、音声データの入力に比べサブＱデータの入力が少ない場合、音声データ量との整合性をとるためにダミーのサブＱデータをサブＱデータテーブル１０５に格納する。これにより、サブＱデータテーブル１０５のアンダーフローを防ぐことが可能となり、音声データの出力に音切れ等の影響を与えず正常な再生が可能となる。
【００１５】
図４は、図１中の入力処理部１０４によるサブＱデータテーブル１０５のオーバーフロー抑制の処理フローである。入力処理部１０４は、音声データ入力サイズカウンタとサブＱデータ入力数カウンタとの差分を確認し、サブＱデータの入力に比べ音声データの入力が少ない場合、音声データ量との整合性をとるためにサブＱデータを廃棄する処理を行う。これにより、サブＱデータテーブル１０５のオーバーフローを防ぐことが可能となり、音声データの出力に音切れ等の影響を与えず正常な再生が可能となる。
【００１６】
入力処理部１０４は、好ましくは、図３及び図４の説明の中でのサブＱデータテーブル１０５の格納判断に用いる閾値を、制御部１０１から制御信号Ｌとして受けることのできるインターフェースを備える。これにより、音声データ格納バッファ１０７、サブＱデータテーブル１０５の各サイズに応じて閾値が変更可能になり、システムに応じた最適な値を指定可能になる。
【００１７】
図３の処理フローにてサブＱデータテーブル１０５の管理上挿入したダミーデータをサブＱデータ処理部１０６で識別可能にするため、好ましくは、図５に示すようにサブＱデータ中の未使用の領域にダミー識別フラグを挿入する。図５に示したサブＱデータは、ＣＯＮＴＲＯＬ領域（４ビット）と、ＡＤＤＲＥＳＳ領域（４ビット）と、９個の８ビットフィールドからなるデータ領域（７２ビット）と、ＣＲＣ領域（１６ビット）とで構成されている。データ領域は、トラックナンバー（ＴＮＯ）部と、インデックス（ＩＮＤＥＸ）部と、経過時間（ＭＩＮ）部と、経過時間（ＳＥＣ）部と、経過時間（ＦＲＡＭＥ）部と、ＺＥＲＯ部と、絶対時間（ＡＭＩＮ）部と、絶対時間（ＡＳＥＣ）部と、絶対時間（ＡＦＲＡＭＥ）部とに分けられる。オール０の８ビットからなり通常は不使用のフィールドであるＺＥＲＯ部にダミー識別フラグを挿入するのである。これにより、サブＱデータ処理部１０６でダミーかどうかの判別が可能となり、ダミーのサブＱデータを外部に出力してしまうことを防ぐことが可能になる。
【００１８】
図６は、図１中のサブＱデータテーブル１０５と音声データ格納バッファ１０７との関連図である。入力処理部１０４でサブＱデータをテーブル１０５に格納する際、対応する音声データが格納されている音声データ格納バッファ１０７のアドレスもあわせて登録する。サブＱデータ処理部１０６は現在どの位置の音声データを再生しているかを監視し、サブＱデータテーブル１０５に登録してある音声データのアドレス情報と照合することによって、サブＱデータ読み出し時に音声データとずれることなく、対応するサブＱデータの読み出しを行うことが可能となる。
【産業上の利用可能性】
【００１９】
以上説明してきたとおり、本発明に係る音声再生装置は、外部ディジタルオーディオ入力データに対して音響処理を行ったデータを出力する際に、音声が途切れることなくサブＱデータを出力することが可能となる。また入力をスルーで出力するモードを備えることでダビングにも使用が可能となるため、多様性のある音声再生装置として有用である。
【図面の簡単な説明】
【００２０】
【図１】本発明に係る音声再生装置の構成例を示す回路ブロック図である。
【図２】図１中のサブＱデータ処理部の処理手順を示すフローチャートである。
【図３】図１中の入力処理部によるサブＱデータテーブルのアンダーフロー抑制の処理手順を示すフローチャートである。
【図４】図１中の入力処理部によるサブＱデータテーブルのオーバーフロー抑制の処理手順を示すフローチャートである。
【図５】サブＱデータへのダミー識別フラグ挿入位置の例を示す概念図である。
【図６】図１中のサブＱデータテーブルと音声データ格納バッファとの関連図である。
【符号の説明】
【００２１】
１０１  制御部
１０２  再生部
１０３  データ受信部
１０４  入力処理部
１０５  サブＱデータテーブル
１０６  サブＱデータ処理部
１０７  音声データ格納バッファ
１０８  音響処理部
１０９  ディジタルオーディオ出力切り替えスイッチ
Ａ  ディジタルオーディオ入力データ
Ｂ，Ｃ，Ｄ，Ｅ，Ｆ  サブＱデータ
Ｇ，Ｈ，Ｉ  音声データ
Ｊ  ディジタルオーディオ出力データ
Ｋ  アナログオーディオ出力データ
Ｌ  閾値制御信号
Ｍ  音響処理済のディジタルオーディオ出力用データ
Ｎ  ディジタルオーディオ出力切り替え制御信号
【図１】
2007073170.tif 000003
【図２】
2007073170.tif 000004
【図３】
2007073170.tif 000005
【図４】
2007073170.tif 000006
【図５】
2007073170.tif 000007
【図６】
2007073170.tif 000008